(57)【要約】【課題】蓄電池用電槽の側面の強度を向上すること。【解決手段】短側面と長側面および底面を有する有底の上面開放した方形箱状体からなる合成樹脂製の成形による蓄電池用電槽の内部を隔壁により６つのセル室に区画形成し、その短側面には、該短側面を折り曲げて、電槽の高さ方向に延びる凹状部を形成した。該凹状部は１本でも良いし、複数形成しても良い。更に、該凹状部内に該凹状部と同様に電槽の高さ方向に延びるリブを併せて形成した。このリブは１本でも良いし、複数本でも良い。この様な屈曲による凹状部を形成することで、短側面に多数の高さ方向のリブのみを形成したものや幅方向のリブのみを形成したもの、或いはリブを格子目状に形成したものよりも強度の強いものが得られた。【選択図】図１
2005190796.tif 000002
【特許請求の範囲】
【請求項１】
蓄電池用電槽の側面壁に屈曲して凹状部を形成した蓄電池用電槽。
【請求項２】
該凹状部内にリブを形成した請求項１記載の蓄電池用電槽。
【発明の詳細な説明】
【技術分野】
【０００１】
本発明は、電槽の側面強度を向上させた蓄電池用電槽に関するものである。
【背景技術】
【０００２】
蓄電池用電槽はプリプロピレン等の合成樹脂を成形することで製造され、開放する上面より極板群や電解液を収納し、蓋を施して蓄電池として使用されるものであるが、該蓄電池の使用中に電槽側面が膨出する傾向がある。この現象は、例えば１個の電槽の内部を隔壁で多数のセル室に区画形成したモノブロック式電槽においては、比較的幅が広くなる短側面に見られ、これを抑制するには側面の強度を向上させる方法がある。この側面の強度を向上させるには、電槽の側面の厚みを厚くする方法の他に、側面に縦方向リブや縦横方向に格子目状にリブを形成すること（特許文献１）や補強板を設けること（特許文献２）などが行われている。
【０００３】
特許文献１  特開平９−３０６４３７号公報
特許文献２  特開平８−２７３６３８号公報
【発明の開示】
【発明が解決しようとする課題】
【０００４】
上記従来の方法により、電槽の側面の強度を向上させることが出来る。しかしながら、それぞれ一長一短があり、側面の厚みを厚くすることは、その厚みにより如何様にも強度を向上し得るが、電槽外形が大きくなったり、使用する樹脂量が多くなる問題がある。縦方向のリブのみを形成する方法は、それなりに強度の向上を図れるが、その膨出抑制力がやや不足し、近年の様に高容量化のために多くの活物質を極板に充填しこれを電槽内収納することが行われており更なる強度の向上が望まれている。格子目状のリブの形成は縦リブのみよりは高い強度の向上が図られるが、電槽の成形において比較的簡単に成形することが出来る抜き型と言われる成形金型を用いることが出来ず高価となる等の問題がある。また補強板を設けることは別部品を必要とすると共にその取付作業が煩わしい等の問題がある。
【課題を解決するための手段】
【０００５】
本発明は、これらの課題を解決すべくなされたもので、電槽の側面壁を屈曲させて凹状部を形成したものであり、更には、該凹状部内に縦リブを形成したものである。
【０００６】
このことにより、成形金型として抜き型を用いることが出来ると共に、縦リブのみを形成した場合に比し側面の強度の向上を図ることが出来た。
【発明の効果】
【０００７】
本発明により、蓄電池用電槽を簡単に成形出来ると供に、その側面の強度を向上し得る等の効果を奏するものである。
【発明を実施するための最良の形態】
【０００８】
図１は一実施形態を示す蓄電池電槽の部分斜視図、図２はその断面部分図である。
図示される通り、電槽１は、短側面１ａと長側面１ｂおよび底面からなる有底の上面開放した方形箱状体からなり、その短側面1ａに側面壁を屈曲させて外側へ張り出た凹状部２を形成した。図示の例では該凹状部２を２つ形成した。そして、該凹状部２は電槽１の上下方向に形成した。
【０００９】
該凹状部２には上下方向にリブ３を各々２本形成した。これら凹状部２やリブ３は電槽１の成形時に一体に成形されるが、側面には左右方向に突起部がないので、従来同様に電槽１の上部の突起部１ｃを境に上下方向への抜き型により簡単に成形し得る。
【実施例１】
【００１０】
蓄電池用電槽として上記大きさの電槽を用い、隔壁１ｄにより内部を６つのセル室４に区画形成した電槽をポリプロピレン樹脂により成形した。電槽の大きさは、高さ約２０４ｍｍ，幅１７３ｍｍ，長さ２６０ｍｍで、短側面１ａおよび長側面１ｄとの厚みは、短側面を４ｍｍ、長側面を３ｍｍとした。
【００１１】
なお、隔壁１ｄの厚みは１．４mmである。１ｅは短側面１ａの内面や隔壁１ｄに設けた小突状である。
【００１２】
電槽１の短側面１ａの高さ方向に該側面を断念コ字状に９０度ずつ屈曲して、ほぼ該短側面を幅方向に３等分する位置に凹状部２を２つ設けた。該短側面１ａは、端部のセル室４ａの上面のセル幅を大きくすることで結果的に短側面がセル室４内に張り出す様にして形成して上部の短側壁内面と屈曲した凹状部２の内側面が同一面と成る様にした。
【００１３】
該凹状部２は電槽上部の外側全周に形成した突起部１ｃの下部より電槽下端に至り形成し、その幅は２２ｍｍ、凹部深さ３ｍｍで、その内部に２本のリブ３を形成した。このリブ３の肉厚は２ｍｍである。
【実施例２】
【００１４】
蓄電池用電槽として凹状部２を短側面２の幅方向の中央に１つ形成した以外は実施例１と同様の電槽を作成した。
【実施例３】
【００１５】
蓄電池用電槽の短側面の凹状部にリブを形成しなかったこと以外は実施例１と同じものを作成した。
【実施例４】
【００１６】
蓄電池用電槽の短側面の凹状部にリブを形成しなかったこと以外は実施例２と同じものを作成した。
【比較例】
【００１７】
蓄電池用電槽の短側面の外側に肉厚２ｍｍのリブ１６本を電槽の高さ方向に形成したもの、短側面の外側に同様のリブを幅方向に１６本形成したもの、短側面の外側に同様のリブを高さと幅の両方向に格子目状に形成したもの（リブの肉厚、本数は上記縦および横のリブに同じ）を作成した。
【従来例】
【００１８】
従来例とし、蓄電池用電槽の短側面にリブ等全く形成しない平坦面としてものを作成した。
【００１９】
これら作成した各電槽に蓋を融着して密封し、該蓋にパイプを気密に貫通しパイプ内を通して電槽内の全セル室内に空気を送り０．８Ｋｇｆ/ｃｍ2で加圧した。
加圧により短側面の変形量（最大の膨出寸法）を測定した結果を表１に示す。
【００２０】
【表１】
2005190796.tif 000003
【００２１】
この表１からも明らかな通り、本発明電槽を用いたものは、比較例として示した、縦リブや横リブあるいは格子目リブを形成したものや従来例として示したリブの無い平坦なものよりも変形量の少ない電槽が得られ、強度が向上した電槽が得られた。
なお、上記実施例では屈曲の角度を９０度とした。この場合が最も良く角度を８０、７０度の小さくすると膨出寸法が大きい、即ち強度は小さくなる傾向があり、８０〜９０度が好ましい。また、凹状部は上記実施例に記載の大きさの電槽では２つが一番良く、３つ形成すると１つの場合より膨出寸法は若干大きくなった。
【図面の簡単な説明】
【００２２】
図１は本発明実施形態の斜視図。
図２は図１のＡ−Ａ線に沿って切断した断面部分図。
【符号の説明】
【００２３】
１  電槽
１ａ短側面
２  凹状部
３  リブ
【図１】
2005190796.tif 000004
【図２】
2005190796.tif 000005
【手続補正書】
【提出日】平成16年2月17日(2004.2.17)
【手続補正１】
【補正対象書類名】明細書
【補正対象項目名】００２２
【補正方法】変更
【補正の内容】
【００２２】
【図１】本発明実施形態の斜視図
【図２】図１のＡ−Ａ線に沿って切断した断面部分図